(57)【要約】本発明は、画像表示装置であって、金属支持プレート（１）を有し、該金属支持プレートはその前面で、プラズマ放電パネルを支持し、該プラズマ放電パネルは隣接する電極（７，８）の対のネットワークを備えておりかつパネルはその背面に給電部（１３′）を備えている装置に関する。本発明によれば、１つの電極対の電極（７，８）の接続端部はパネルの反対側の端部（５，６）に配置されておりかつ隣接する電極（７，８）のそれぞれの対の給電回路は、金属プレート（１）を取り囲んでいない電流ループを形成する。このようにして、プレートでの電気的な損失は制限されかつパネルのセルは電極の長さ全体に沿って同様に動作する。
2004530951.tif 000002
【特許請求の範囲】
【請求項１】
画像表示装置であって、
−  金属支持プレート（１）を有し、該金属支持プレートはその前面で、プラズマ放電パネルを支持しかつその背面で、前記パネルに給電しかつ該パネルの放電をドライブするための手段を支持しており、
−  前記プラズマパネルそれ自体はフロントタイル（３）とリアタイル（４）とを有しており、これらの間にプラズマ放電領域（９，１０）が残っておりかつ
これらタイルの間で、電極の少なくとも第１のアレイは殊に放電を維持するために用いられ、ここで放電は該第１のアレイの電極の２つの異なったシリーズの隣接する電極（７．８）間に電圧パルスを供給することによって行われ、該第１のアレイにおいて１つのシリーズの電極（７）の接続端部は別のシリーズの電極（８）の接続端部が現れる縁部（６）とは、パネルの反対側の縁部（５）において現れる
形式のものにおいて、
パネルの１つの縁部（６）に現れる、電極（８）のシリーズのうちの１つの接続端部は給電およびドライブ手段にトランスバース導体（２１′）を介して接続されており、該導体は前記リアタイル（４）と前記金属プレート（１）との間に挿入されておりかつ前記端部から、パネルの反対の縁部（５）まで延在している
ことを特徴とする画像表示装置。
【請求項２】
前記トランスバース導体は数個のリボン導体に一種にグループ化されており、それぞれは、該リボンの導体が接続されている、電極（８）の平均位置に近似的に相応している位置に配置されている
請求項１記載の装置。
【請求項３】
それぞれのトランスバース導体（２１′）は隣接する電極（７，８）の１つの対に相応する単一電極（８）に接続されておりかつ前記対と近似的に同じ高さの所で前記パネルに位置決めされている
請求項１記載の装置。
【請求項４】
前記トランスバース導体（２１′）はリアタイル（４）と金属プレート（１）との間に挿入されている単一の導電性リボンを形成する
請求項３記載の装置。
【請求項５】
前記単数または複数の導電性リボンは前記パネルを前記金属支持プレート（１）に固定するための手段としても用いられる
請求項２または４のいずれかに記載の装置。
【請求項６】
それぞれの対に対する給電回路は、給電およびドライブ手段のスタート時に、それぞれが対の電極（７，８）に接続されている給電導体の対を有しているので、該装置は導体のそれぞれの対を取り囲むコモン・モードフィルタリング手段（１５）を含んでいる
請求項１から５までのいずれか１項記載の装置。
【請求項７】
コモン・モードフィルタリング手段（１５）は給電導体の前記対を取り囲む強磁性材料から成っている管を有している
請求項６記載の装置。
【請求項８】
コモン・モードフィルタリング手段（１５）は電極の給電導体すべてが出現しているパネルの縁部（５）に植え込まれてないし差し込まれている
請求項６または７のいずれかに記載の装置。
【請求項９】
前記パネルは放電をアドレッシングするための電極（１８）の第２のアレイを含んでおり、これらは前記放電領域（９，１０）において前記第１のアレイの電極と交差している
請求項１から８までのいずれか１項記載の装置。
【発明の詳細な説明】
【技術分野】
【０００１】
本発明は、プラズマディスプレイパネルの、このパネルに給電しかつパネルをドライブするための手段に対する接続に関する。
【０００２】
添付の図１および図２を参照するに、刊行物ＪＰ２０００−０８９７２３号（ＨＩＴＡＣＨＩ）は、殊にテレビジョンの画像表示装置を開示している。この表示装置は一般にはアルミニウムから成っている金属の支持プレート１を有している。支持プレートの一方の面はＡＣプラズマ放電パネルを支持しておりかつ他方の面は少なくとも１つのプリント回路板２を支持している。プリント回路板はプラズマパネルに給電しかつこのパネルの放電をドライブするための手段１３，１４を支持している。
【０００３】
プラズマパネルそれ自体はフロントタイル３とリアタイル４とを有しており、これらの間にプラズマ放電領域が残っておりかつこれらタイルの間は次のようになっている：
−  少なくとも第１電極のアレイを備え、これは特に、この第１のアレイの異なった電極の２つのシリーズの隣接する電極７，８間に電圧パルスを供給することによって放電を維持するために用いられる。かつ
−  放電をアドレッシングするための電極の第の２アレイ（この第２のアレイは図示されていない）を備え、該アレイは第１のアレイの電極に交差していて、該交差部とタイル３，４の間に放電空間が形成されるようにするものである。
【０００４】
タイル３において、一方のシリーズの電極の接続端部はすべて縁部５に配置されており、縁部５とは反対側にある縁部６には別のシリーズの電極の接続端部がすべて配置されている。
【０００５】
２つの異なっているシリーズの隣接する電極７，８のそれぞれの対に対する給電電流は給電およびドライブ手段からの電流ループを形成している。このループは、最初に対の第１電極７、それから第２電極８を通る。
【０００６】
これらのコンポーネントすべてはボックス２０内に挿入されている。
【０００７】
プラズマパネルのリアタイル４は粘着層１６を用いて金属の支持プレート１に固定されている。この層はこのタイルとプレートとの間の熱膨張係数の差を補償するに十分な厚みを有している。この層に対する粘着性は定められていて、それ自体公知の方法で、作動期間中パネルに放散される熱がパネル１に伝達されるようにしている。プレートは金属から成っているので、ボックス２０内に巡回している空気と熱交換するのに一層良好な係数を有している。
【０００８】
刊行物ＪＰ１１−０４１５４５（ＦＵＪＩＴＳＵ）にも、この形式の画像表示装置が開示されている。ここでは、給電およびドライブ手段を支持しているプリント回路基板２がパネルの表面全体にわたって固有に延在しておりかつ支持プレート１に直接ボンディグされていて、パネルの縁部における電極の端部と支持プレート１の他方の側における給電およびドライブ手段との間の接続が短くなるようにしている。この場合、パネルと支持プレートとの間には横方向、すなわちトランスバース導体は挿入されていない。
【０００９】
それ故にこの第１のアレイの電極の２つの異なったシリーズの隣接する電極７，８の間に放電領域を維持する連続性があり、これは一般に表示されるべき画像エレメントまたはピクセルのラインに相応している。電極のこのアレイは第２のアレイの電極との協働においてアドレッシングするためにも用いられる。従って、第１のシリーズの電極は維持およびアドレッシング電極であってよく、その場合第２のシリーズの電極はただの維持電極である。
【００１０】
第１のアレイのこれらの電極は一般に同一平面上にある。
【００１１】
この維持アレイは一般に、電極の２つのシリーズしか有していないので、異なったシリーズの隣接する電極７，８は対でアースされている。別の実施例によれば、第１のアレイは３つのシリーズを有していてよく、その場合同一平面の電極はトライアードに関連付けられている。
【００１２】
図１ないし３に示されているように、第１のアレイの維持電極７，８は普通、フロントタイル３の内側面に配置されている。択一的な実施例によれば、これらはリアタイル４の内側面に配置されていてよい。
【００１３】
給電しかつ放電をドライブするための手段１３，１４は一般に次のものを有している：
−  高電圧、一般に１００Ｖ以上の高電圧の一連のパルスを生成するのに適している給電手段。
−  この電圧パルスを、このドライブ手段によって選択された電極に供給するように設計されている（種々の電極をスイッチングするための）ドライバー。
【００１４】
電極７，８の第１のアレイが放電を維持するために用いられる一方、このアレイにおいて、画像を表示するために必要とされる電力の大半が消散し、かつそれ故にこのアレイにおいて重大な電気的なロスが生じる可能性がある。
【００１５】
図１および図２Ａには、電極７，８のそれぞれの対に対する給電回路が電流ループを形成していることが示されている。このループは給電およびドライブ手段１３で始まりかつ第１の導体１１を通り、（支持プレート１の一方の側から出て別の側）へ、第１の電極７およびそれから、この対によって給電される連続放電領域を通って、対の第２の電極８，第２の導体１２を通り、支持プレート１の一方の側から他方の側に反対の方向に行き、かつ第３の導体２１を介して支持プレート１の１つの縁部から出て他方の縁部まで、最終的には給電およびドライブ手段１３に戻っていく。
【００１６】
図１および２Ｂには、電極対７，８のそれぞれの対に給電するための回路が反対方向の電流ループも形成していることが示されている。それはこの場合、支持プレート１の給電およびドライブ手段１３とは反対側に配置されている給電およびドライブ手段１４を含んでいる。
【００１７】
装置が作動しているときの放電維持ステップの間、放電はそれぞれの対の電極７，８の間を跳躍しかつ大電流がこれらループを流れる。
【００１８】
図２に示されている、支持プレート１の一方の面に配置されているパネルの電極を他方の面に配置されている給電手段１３，１４に接続する従来の方法は次のような欠点を有している：
−  電極７，８のそれぞれの対に対する給電回路によって形成される電流ループは金属の支持プレート１を取り囲みかつこのプレート中に渦電流によって相当量のロスを発生する。電流ループが金属プレートを取り囲むとき、このプレートの両面に高い誘導電流が現れる。電流の方向は一方の面から他方の面に対して逆転している。このプレートに誘導される電流がロスおよび局所的な過熱を引き起こし、かつこれらは近くに配置された電子回路を妨害する。しかも
−  この接続方法では有利には、パネルの反対側の縁部５，６に位置決めされている２つの異なった給電部１３，１４が必要であり、これにより相対的に高価につく。
【００１９】
支持プレート１の一方の縁部から反対側の縁部に通っているトランスバース導体２１は支持プレート１の、給電およびドライブ手段１３，１４と同じ側に配置されている。刊行物ＥＰ１０６５６９４（SAMSUNG）に記載されている実施例によれば、このトランスバース導体は電極を支持しているタイル３の同じ内側の面に配置されていてよく、すなわち支持プレート１に関して給電およびドライブ手段１３，１４とは反対の側に配置されていてよい（この刊行物の図８の導体１２ａ参照）。トランスバース導体はパネルと支持プレートとの間に挿入されていない。この刊行物が示しているように、その場合このトランスバース導体は光放出領域から外されかつ平均して、電極のこれらの対から大きく離れたところに位置決められなければならない。その場合電流ループは平均して大きな垂直方向の横断面を有しており、大きな水平方向の成分を有している電磁フィールドを生成しかつ金属の支持プレート中に電流も誘起し、これにより不都合な電気的な損および寄生放射を引き起こす。
【００２０】
プラズマパネルをその給電手段に接続するこれらの従来の方法においては、両方とも支持プレート１の一方の側から他方の側に通っている第１の導体１１および第２の導体１２は、用いられている電極の端部が反対側の端部にあるので、パネルの反対側の端部に配置されていることを指摘しておきたい。
【００２１】
上に挙げた欠点を回避するために、上に述べたＪＰ２０００−０８９７２３号には、添付の図３を参照するに、維持アレイの電極すべてがプラズマパネルの同じ縁部５でこれら端部を介して給電されるようになっている回路が開示されている。この回路はねらいは次の通りである：
−  図３に示されているように、電極７，８のそれぞれの対に対する給電回路によって形成される電流ループはもはや金属プレートを取り囲んでいない。それ故に、このプレートにおける渦電流損は防止されている。しかも
−  単一の給電部１３′は、不都合な点なしに、図３Ａおよび図３Ｂに示されているように、維持パルスの交番操作すべてのために用いることができる。
【００２２】
この別の接続法およびプラズマディスプレイパネルに対する給電方法によれば、第１の導体１１および第２の導体１２はここでは両方とも支持プレート１の一方の側から他方の側に通っていて、パネルの同じ縁部５に配置されていることを指摘しておきたい。
【００２３】
しかしながら、この解決法は重大な欠点を有している；この縁部５の近傍に配置されている放電領域９がパネルの反対側の縁部６の近傍に配置されている放電領域１０のインピーダンスとは非常に異なっているインピーダンスにさらされている。この差は、これら領域９，１０の間にある電極７，８の部分のインピーダンスに相応する。
【００２４】
このインピーダンス差のために、パネルのセルの動作は電極７，８の全長にわたって相異しておりかつ放電領域の光特性はパネルの一方の縁部５と他方の縁部６とでは非常に異なり、これにより画像表示の品質は深刻に損なわれる。
【００２５】
本発明の課題は、図１および図２において示されたおよび図３において示された解決法の欠点すべてが同時に軽減されるようにすることである。
【００２６】
この課題の解決のために、本発明の対象は次の構成を有する画像表示装置である：
−  金属支持プレートを有し、該金属支持プレートはその前面で、プラズマ放電パネルを支持しかつその背面で、前記パネルに給電しかつ該パネルの放電をドライブするための手段を支持しており、
−  前記プラズマパネルそれ自体はフロントタイルとリアタイルとを有しており、これらの間にプラズマ放電領域が残っておりかつ
これらタイルの間で、電極の少なくとも第１のアレイは殊に放電を維持するために用いられ、ここで放電は該第１のアレイの電極の２つの異なったシリーズの隣接する電極間に電圧パルスを供給することによって行われ、該第１のアレイにおいて１つのシリーズの電極の接続端部は別のシリーズの電極の接続端部が現れる縁部とは、パネルの反対側の縁部において現れる形式のものにおいて、
パネルの１つの縁部に現れる、電極のシリーズのうちの１つの接続端部は給電およびドライブ手段にトランスバース導体を介して接続されており、該導体は前記リアタイルと前記金属プレートとの間に挿入されておりかつ前記端部から、パネルの反対の縁部まで延在している。
【００２７】
タイル間に配置されている電極のアレイは普通、両タイルの一方、普通はフロントタイルの内側の面に配置されている。電極は普通、誘電体層によってカバーされており、内面に配置される代わりに、電極のシリーズの少なくとも１つは、パネルの放電領域を定めるバリア・リブの厚みにおいてタイル間に配置されていてよい。
【００２８】
１つの実施例によれば、同じシリーズの複数の電極は同じトランスバース導体を介して給電およびドライブ手段に接続されている。
【００２９】
２つの異なったシリーズの隣接する電極のそれぞれの対に対する給電回路は、第１の電極を通り、かつそれからこの対の第２の電極に至る、給電およびドライブ手段に対する電流ループを形成する。本発明によれば、パネルのそれぞれの対に対する給電回路の電流ループは、刊行物２０００−０８９７２３およびＪＰ１１−０４１５４５に記載されている解決法とは異なって、金属のプレートを取り囲んでいない。従って、その全長にわたり隣接する電極間で同一のインピーダンスを有している放電領域が実現されるにも拘わらず、金属プレートにおける渦電流損は低減される。従って損失は画像表示品質を落とすことなく制限されている。
【００３０】
本発明によれば、トランスバース導体はパネルのリアタイルと支持プレートとの間に挿入されているので、上に挙げた刊行物ＥＰ１０６５６９４の場合のように、これらを光放出領域から外れるようにシフトする必要はなく、これによりこれらは、電極の種々の対の電流ループの垂直方向の横断面およびこれに関連する欠点を有利に制限するように位置決めすることが可能になる。
【００３１】
このトランスバース導体を用いて、電極に対する給電部全体はパネルの同じ縁部に持ってこられるので、その場合、発明ＪＰ２０００−０８９７２３に記載されており、添付の図３に示されているように、アレイの電極のすべてをパネルの同じ縁部において給電およびドライブ手段に接続することができる。この配置構成の利点は、維持パルスの交番操作すべてに対して、どんな欠点も生じることなく、単一の給電だけを使用できるということである。
【００３２】
これらのトランスバース導体は有利には、数個のリボン導体に一種にグループ化されており、それぞれは、該リボンの導体が接続されている、電極の平均位置に近似的に相応している位置に配置されている。これらの電極は一般にパネルのラインに相応しているので、この位置は一般に、パネルにおける高さに相応している。３つのリボンを使用する場合、第１のものは例えば、パネルの高さの１／６のところに位置決めされることになり、第２のものは例えば真ん中の高さの所に位置決めされかつ第３のものは、例えば、高さの５／６のところに位置決めされることになる。
【００３３】
従ってトランスバース導体がまとめて複数のリボンにグループ化され、従って相互に分離されている場合、電極の対から給電電流の戻りのためのトランスバースリターン導体は一般に、この電極対とは同じ高さの所に配置されておらず、この対に関して僅かにオフセットしており、かつ相応の電流ループは大きな面積の垂直方向の横断面を有しておりかつ大きな水平方向成分を有している電磁フィールドを生成する。この欠点を回避するために、隣接する電極の１つの対に相応する単一電極に接続されているそれぞれのトランスバース導体は有利には、パネルの、この対と近似的に同じ高さの所でパネルに位置決めされている。その場合有利には、これらのトランスバース導体は、リアタイルと金属プレートとの間に挿入される単一の導電性のリボンを形成する。
【００３４】
有利には、この導電性のリボンまたはこれらの導電性のリボンはパネルを金属の支持プレートに固定するためにも用いられる。この目的のために、例えば、両面が粘着性である１つまたは複数のリボンを使用することも可能であろう。導電性のリボンの厚さのために有利にも、低減されるべきである、パネルのリアタイルと金属の支持プレートとの間の熱膨張差が許容される。
【００３５】
本発明の有利な実施例によれば、それぞれの対に対する給電回路が、給電およびドライブ手段のスタート時に、それぞれが対の電極に接続されている給電導体の対を有しているので、本発明の装置は導体のそれぞれの対を取り囲むコモン・モードフィルタリング手段を含んでいる。
【００３６】
コモンモードフィルタリングはそれ自体公知の手法において、給電およびドライブ手段から出て、コモンモードにおいてプラズマパネルに伝送される高周波の電磁干渉の伝達を低減するように設計されている。
【００３７】
有利には、これらコモン・モードフィルタリング手段は、給電導体のこの対を取り囲む強磁性材料から成っている管を有している。
【００３８】
パネルの動作期間、このコアの位置において、同じ対のぞれぞれの導体に流れる電流は反対方向であり、これによりこの強磁性の管がコモン・モードフィルタとして動作することが可能になりかつ給電およびドライブ手段から来て、プラズマパネルに伝送される高周波の電磁干渉の伝送を低減することになる。
【００３９】
有利には、これらの上に述べたコモン・モードフィルルタリング手段は電極の給電導体すべてが出現しているパネルの縁部に差し込まれている。
【００４０】
接続のための端部から同じシリーズの電極までのトランスバース導体の反対側の端部は別のシリーズの電極に対する接続縁部と同じ、パネルの縁部で出ているので、電極のそれぞれの対に対する給電導体はそこに、互いに近傍に配置されており、かつコモン・モード強磁性フィルタ管によって容易に取り囲むことができるのでこの個所でフィルタリング手段を非常の容易に植え込むないし差し込むことができる。
【００４１】
一般に、プラズマパネルは放電をアドレッシングするための電極の第２のアレイも含んでおり、これらはパネル放電領域において第１のアレイの電極と交差している。
【００４２】
次に本発明を、それに限るわけではないが一層明確に理解するために、例を用いて、かつ添付図を参照して一層詳細に説明する。その際
図１には、既に説明したように、画像表示装置全体の断面が略示されており、
図２には、既に説明したように、従来技術の装置のコンポーネントおよび電気的な接続部が略示されており、（Ａ）はプラズマパネルのタイルの維持電極の対の正面図であり、（Ｂ）はパネルの支持プレートおよび電極に対する給電およびドライブ手段の断面図であり、
図３（A）および（B）には、既に説明したように、図２（A）および（B）と同じように、刊行物ＪＰ２０００−８９７２３号に示されているような別の接続スキーマが示されており、かつ
図４には、本発明の有利な実施例の接続スキーマが示されており、ここでは表示装置全体が断面で示されているが、同じ対の２つの維持電極を明らかに示すためにフロントタイルは斜視図にて示されている。
【００４３】
説明を簡単にしかつ従来技術と比べて本発明によって得られる差異および利点を明らかにするために、同じ機能を有する要素に対しては同一の参照番号を使用することにする。
【００４４】
プラズマパネルのフロントタイル３およびリアタイル４、金属支持プレート１および、このプレートの裏側における、パネル内の放電を給電しかつドライブするために用いられる給電部１３′に関して既に説明したことから出発して、図４には次のことが示されている：
−  フロントタイル３は同一の平面維持電極７，８の対のアレイを備えており、それぞれの対の電極の１つはアドレッシングのためにも役立つ。
−  リアタイル４はアドレス電極１８のアレイを備えている。
−  対７，８の電極７の接続端部は、従来技術の場合のように、パネルの縁部５に配置されかつ給電部１３′には接続手段１１を介して接続されているので、この対７，８の他方の電極８の接続縁部はパネルの反対側の縁部に位置決められている。しかも
−  パネルの縁部６に現れるこの電極８の接続端部は給電部１３′に、電極の端部と金属プレート１の前面およびリアタイル４の外側面の間に位置しているトランスバース導体２１′とを接続するための従来の手段１２を介して接続されている。この導体２１′はパネルの一方の縁部６から他方の縁部５に向かって延びている。
【００４５】
従って、隣接する電極７，８のそれぞれの対に対して、この対に対する給電回路の電流ループは金属プレート１を取り囲んでいない。
【００４６】
図４に図示の装置は電極７，８の対に給電する導体のそれぞれの対を取り囲んでいるコモン・モード・フィルタリング手段１５も含んでおり、この場合パネルの縁部５、すなわち電極に対する給電導体すべて、すなわち電極８に給電するためのトランスバース導体２１′および電極７に対する接続のための手段１１が出ている個所に差し込まれているまたは植え込まれている強磁性材料の管。
【００４７】
図４では、給電部１３′によって生成された電流はその２つの端子の１つから離れ、接続手段１１を介して電極７の端部まで進み、それから同じ対の電極７および８の間でパネルを通り、次いでパネルの別の縁部６に現れ、電極８の端部に接続されている手段１２を介してそれからトランスバース導体２１′を介して発生器１３′の他方の端子に戻る。こうして電流ループを形成する。本発明をこのような特別な実施例において具体化実現することで結果的に特に次のことが成り立つ：
−  電流はパネルの金属の支持プレート１の周りを流れることが避けられるので、従って電極の電気的な給電ロスが制限される。しかも
−  パネルの相対向する縁部５および６の間でパネルの全体の幅にわたってパネルのセルすべてに対して同一の動作が維持される。
【００４８】
有利には、このループによって誘導される電磁放射をできるだけ低減する目的でパネルの給電電流ループの内部領域を最小限にしようと工夫されることになる。この目的のために、隣接する電極７，８の対に相応する電極８に接続されているそれぞれのトランスバース導体２１′をこの対と近似的に同じ高さに位置させると有利である。
【図面の簡単な説明】
【００４９】
【図１】公知の画像表示装置の断面略図
【図２】従来技術の装置のコンポーネントおよび電気的な接続部の略図
【図３】別の従来技術の装置のコンポーネントおよび電気的な接続部の略図
【図４】本発明の有利な実施例の接続スキーマを含む表示装置の略図
【図１】
2004530951.tif 000003
【図２】
2004530951.tif 000004
【図３】
2004530951.tif 000005
【国際公開パンフレット】
2004530951.tif 000006
2004530951.tif 000007
2004530951.tif 000008
2004530951.tif 000009
2004530951.tif 000010
2004530951.tif 000011
2004530951.tif 000012
2004530951.tif 000013
2004530951.tif 000014
2004530951.tif 000015
2004530951.tif 000016
2004530951.tif 000017
2004530951.tif 000018
2004530951.tif 000019
2004530951.tif 000020
2004530951.tif 000021
2004530951.tif 000022
【国際調査報告】
2004530951.tif 000023
2004530951.tif 000024
2004530951.tif 000025
2004530951.tif 000026